(57)【要約】      （修正有）【課題】お菓子や雑貨、入浴剤等を入れ、簡単に入浴剤ブーケ等を作り込むことが可能なシンプルケースであって、特に収納された入浴剤等の雑貨は、ケースから落ちることなく確りとケース内に保定される。【解決手段】シンプルケース１であって、デザインが施された所定形状の台座２と、上蓋が設けられ、台座２に取り付けられると共に、お菓子や雑貨、入浴剤等の小物を収納する透明ケース３と、台座２に一端が取り付けられ、透明ケース３に収納されたお菓子や雑貨、入浴剤等の小物を保定する２本のリボン４と、を備える。【選択図】図１
0003210445.tif 000002
【実用新案登録請求の範囲】
【請求項１】
デザインが施された所定形状の台座と、
上蓋が設けられ、前記台座に取り付けられると共に、お菓子や雑貨、入浴剤等の小物を収納する透明ケースと、
前記台座に一端が取り付けられ、前記透明ケースに収納されたと前記お菓子や雑貨、入浴剤等の小物を保定する２本のリボンと、
を備えることを特徴とするシンプルケース。
【請求項２】
前記透明ケースの下方にも下蓋が更に設けられていることを特徴とする請求項１に記載のシンプルケース。
【請求項３】
前記台座にはメッセージカードが取り付けられていることを特徴とする請求項１、又は２に記載のシンプルケース。
【請求項４】
前記台座に前記透明ケースを取り付けた後、該透明ケース内に前記お菓子や雑貨、入浴剤等を収納し、該透明ケースに設けられた上蓋を閉じ、前記台座に一端が取り付けられた２本の前記リボンで前記透明ケースの上蓋を覆い、前記リボンを結んだ状態で前記お菓子や雑貨、入浴剤等が保定されていることを特徴とする請求項１、２、又は３に記載のシンプルケース。
【考案の詳細な説明】
【技術分野】
【０００１】
本考案はお菓子や雑貨、入浴剤等を入れ、簡単に入浴剤ブーケ（通称ケリーブーケ）等を作り込むことが可能なシンプルケースに関する。
【背景技術】
【０００２】
従来、お菓子や雑貨、入浴剤等を包装する手段として、例えば特許文献１が開示されている。この特許文献１は合成樹脂膜で二重構造の密封環状室を円筒状に形成し、その空間部に品物を包み込み、注入した空気で密封環状室を膨張させたパッケージケースである。また、特許文献２として、プラスチック封筒内を減圧状態下で圧縮密封した弾性緩衝材を備えたケースも提案されている。
【０００３】
しかしながら、上記特許文献１に係る発明では空間部の形状が限定され、収納する品物が限られると共に、収納するお菓子や雑貨、入浴剤等を簡単にラッピングすることができない。また、構造が複雑であり、例えばスーパーや店舗において、店員が簡単に商品の作り込みを行うことができない。
【０００４】
また、特許文献２はケース内に緩衝材を備えているが、緩衝材の為のスペースが必要となり、特許文献１と同様、収納する品物が限定されると共に、収納するお菓子や雑貨、入浴剤等、又は生花や造花、小物類等を簡単にラッピングすることができない。
【先行技術文献】
【特許文献】
【０００５】
【特許文献１】特開昭５４−１３６９８５号公報
【特許文献２】特公表６３−５０２０９９号公報
【考案の概要】
【考案が解決しようとする課題】
【０００６】
そこで、本考案はスーパーや店舗でスタッフ誰もが作り込みが可能であり、お菓子や雑貨、入浴剤等、又は生花や造花、小物類等を簡単にラッピングし、例えばケリーブーケ等を容易に作り込むことができるシンプルケースを提案するものである。また、完成した例えばケリーブーケやプチブーケやにメッセージカードを取り付けることによって、幸せを運ぶギフト品として使用することも提案するものである。
【課題を解決するための手段】
【０００７】
上記課題は本考案によれば、デザインが施された所定形状の台座と、上蓋が設けられ、前記台座に取り付けられると共に、お菓子や雑貨、入浴剤等の小物を収納する透明ケースと、前記台座に一端が取り付けられ、前記透明ケースに収納されたと前記お菓子や雑貨、入浴剤等の小物を保定する２本のリボンと、を備えるシンプルケースを提供することによって達成できる。
【０００８】
また、上記透明ケースの下方にも下蓋が更に設けられ、更に上記台座にはメッセージカードが取り付けられていることを特徴とする。
【０００９】
この場合、透明ケース内にお菓子や雑貨、入浴剤等の小物を予め収納し、その後台座に透明ケースを取り付けることができる。
【００１０】
また、上記台座に前記透明ケースを取り付けた後、該透明ケース内に前記お菓子や雑貨、入浴剤等を収納し、該透明ケースに設けられた上蓋を閉じ、上記台座に一端が取り付けられた２本の前記リボンで前記透明ケースの上蓋を覆い、リボンを結んだ状態で前記お菓子や雑貨、入浴剤等が保定されていることを特徴とする。
【考案の効果】
【００１１】
本考案によれば、透明ケースに収納された入浴剤等の雑貨は上蓋によって保定され、ケースから落ちることなく確りと透明ケース内に保定される。また、ケリーブーケの作り込みも容易に行うことができる。
【図面の簡単な説明】
【００１２】
【図１】本実施形態のシンプルケースの構成を示す図である。
【図２】上蓋のある透明ケースの斜視図である。
【図３】上蓋のある透明ケースの他の例を示す斜視図である。
【図４】完成したケリーブーケの斜視図である。
【図５】透明ケースの下方にも下蓋を設けた透明ケースの斜視図である。
【考案を実施するための形態】
【００１３】
以下、本考案の実施形態を図面に基づいて詳細に説明する。
図１は本実施形態のシンプルケースの構成を示す図である。本例のシンプルケース１は台座２、透明ケース３、及び２本のリボン４で構成されている。台座２は例えば握持し易い四角推の形状であり、例えば厚い紙材で形成されている。また、四角推の上記台座の色は、例えば気品漂うブルーであり、収納された生花や造花、入浴剤等の雑貨を美しく引き立たせる色が使用されている。また、台座２の正面にはタグ（メッセージカード）５が取り付けられている。
【００１４】
透明ケース３は四角形の透明部材であり、図２に示す透明なアクリルケースで構成されている。この透明ケース３を上記台座２の上に取り付け、生花又は造花、又はお菓子や雑貨、入浴剤等の小物の収納部を形成する。また、同図に示すように、透明ケース３の上方には上蓋６が設けられ、透明ケース３の下方は開口された状態である。
【００１５】
２本のリボン４は一端が台座２に取り付けられ、透明ケース３に生花又は造花又は小物を収納した状態で生花等を覆って結ぶ為に十分な長さを備え、例えば不図示の文字やデザインが施されている。また、この２本のリボン４の色は、例えば上記台座２の色に合わせ、収納された生花や造花、又はお菓子や雑貨、入浴剤等をより美しく引き立たせる構成である。
【００１６】
図１は、上記構成のシンプルケース１を使用して、例えば生花９を透明ケース３に収納した状態を示す図であり、本例のシンプルケース１を使用して作ったプチブーケの一例である。この作成は、上記台座２に上蓋６が設けられた透明ケース３を取り付けた後、この透明ケース３内に例えばバラの生花９を一輪入れ、透明ケース３の上蓋６を閉じ、台座２に取り付けられた２本のリボン４で透明ケース３の上蓋６を覆い、このリボン４を上方で結んで作成したものである。
【００１７】
このように構成することによって、透明ケース３に収納されたバラの生花９は上蓋６によって保定され、ケースから落ちることなく確りと透明ケース３内に保定される。また、プチブーケの作り込みも容易に行うことができる。
【００１８】
図３は透明ケース３の他の例を示す図である。この場合、透明ケース３の上蓋８の構成が前述の図２の透明ケース３の上蓋６と異なり、上蓋８は上蓋の真ん中が円形に開口されている。このように構成することによって、透明ケース３に収納された雑貨等の小物の形状に対応して上蓋８を閉じ、２本のリボン４で結ぶことができる。
【００１９】
図４は上記上蓋８を備えた透明ケース３を使用した例であり、例えば入浴剤１０を透明ケース３に収納した状態を示す図である。この作成は、上記台座２に上蓋８が設けられた透明ケース３を取り付けた後、この透明ケース３内に入浴剤１０が収納されたパッケージを入れ、透明ケース３の上蓋８を閉じ、台座２に取り付けられた２本のリボン４で透明ケース３の上蓋８及び入浴剤１０を覆い、リボン４を上方で結んで作成したものである。
【００２０】
以上のように、本例のシンプルケース１を使用することによって、スーパーや店舗のスタッフの誰もがケリーブーケ等を簡単に作り込むことができる。
【００２１】
尚、上記図４は入浴剤１０を使用した例であるが、入浴剤１０に限らず他の雑貨やお菓子等を使用してもよく、又生花や造花に限らず、他の小物類を入れて美しいデザインのギフト品を作成してもよい。
【００２２】
また、図１や図４に示すように、メッセージカード５を取り付けることによって、例えばメッセージカード５のうち面にメッセージが書けるので様々なギフトシーンに利用することができる。
【００２３】
尚、図２及び図３に示す例は透明ケース３の上方に上蓋６又は上蓋８を設けた例であるが、図５は透明ケース３の下方にも下蓋７を設けた例である。このように構成することによっても透明ケース３に雑貨等の小物を収納することができ、この場合予め入浴剤１０等の雑貨を収納した後、台座２に取り付けることもでき、更に簡単にプチブーケやケリーブーケを作り込むことができる。
【符号の説明】
【００２４】
１・・・シンプルケース
２・・・台座
３・・・透明ケース
４・・・リボン
５・・・メッセージカード
６・・・上蓋
７・・・下蓋
８・・・上蓋
９・・・バラの生花
１０・・入浴剤
【図１】
0003210445.tif 000003
【図２】
0003210445.tif 000004
【図３】
0003210445.tif 000005
【図４】
0003210445.tif 000006
【図５】
0003210445.tif 000007